(57)【要約】【課題】表示装置のスタンドを組み立てる際に、作業性を向上させる技術を提供する【解決手段】ベースプレート梱包部１２の台形形状の上辺付近の両端には、それぞれ凹状の第１及び第２の支柱保持部２４ａ，２４ｂが設けられている。第１の支柱保持部２４ａには第１の支柱の上端部分が設置される。同様に、第２の支柱保持部２４ｂには第２の支柱の上端部分が設置される。ベースプレートは、台形状の底辺の両端部分が若干外方向に突き出す形状となっている。ベースプレート梱包部１２には、その突き出た形状を挿入しベースプレートを固定する二つのプレート固定孔４４が設けられている。【選択図】図２
2008068896.tif 000002
【特許請求の範囲】
【請求項１】
組立品を構成する複数の部材を分けて梱包する梱包ケースであって、
前記部材を収納する凹部と、
前記部材を組立てる際に前記部材の少なくとも一部を保持する凹状の保持部を有し、
前記保持部は前記部材が適正に組み立てる姿勢となる形状及び位置で形成されていることを特徴とする梱包ケース。
【請求項２】
前記複数の部材は、相互間を結合する結合部を有し、前記複数の部材は、結合作業が可能な状態で前記保持部によって保持されることを特徴とする請求項１に記載の梱包ケース。
【請求項３】
表示装置のスタンドを、支柱およびベースプレートに分けて梱包する梱包ケースであって、
前記ベースプレートを立てかける、凹状のベースプレート保持部と、
前記支柱を保持する、凹状の支柱保持部と、
を備え、
前記ベースプレート保持部及び前記支柱保持部は、前記ベースプレートと前記支柱が適正に組み立てる姿勢となる形状及び位置で形成されていること
を特徴とする梱包ケース。
【請求項４】
前記支柱保持部は、前記支柱の上部が設置可能になっており、前記支柱の上部が設置された際に、前記支柱の底部に設けられたビス穴と、前記ベースプレート保持部に立てかけられた前記ベースプレートに備わるビス穴とが、適正な位置であわさるように、前記支柱の姿勢を保持することを特徴とする請求項３に記載の梱包ケース。
【発明の詳細な説明】
【技術分野】
【０００１】
本発明は、表示装置のスタンドを所定の複数の部品に分けて収納する梱包ケースに関する。
【背景技術】
【０００２】
近年、液晶テレビなどのような薄型画像表示装置の大型化が進んでいる。液晶テレビでは、所定の台の上にスタンドを用いて設置したり、壁掛けで設置したりする。そのため、予めスタンドを外した状態で出荷する製品がある。
【０００３】
その様な製品の場合、スタンドは更にいくつかの部品に分かれて梱包されていることがあり、ユーザは自らスタンドを組み立てる必要がある。
【０００４】
図７は、薄型表示装置に備わるスタンド５０の一般的な組立手法について示した図である。一般にスタンド５０は、支柱５２とベースプレート５４とからなる。組立の際には、支柱５２を逆さまに置いて、その上に、同様に逆さまにしたベースプレート５４を安定させながら適正な位置にのせる。つづいて、ビス５６で支柱５２とベースプレート５４を固定する。
【０００５】
ベースプレート５４を支柱５２にのせる際に、ユーザは、それらが適正な位置になるように調整する必要があった。その際に、位置調整に手間取りベースプレート５４の表面が、支柱５２により傷つくことがあった。傷をつけないように慎重に作業する必要があり、作業性に課題があった。
【０００６】
上述のような組立を容易にする技術が開示されている（特許文献１参照）。この特許文献１に開示の技術では、構成部材を収納する収納溝を備えた衣類乾燥機用スタンドの梱包材において、スタンド組立の際に、左右一対の支柱を挿入して立設する所定間隔の溝を梱包部材に設けている。
【０００７】
【特許文献１】実開昭６２−１９１６９６号公報
【発明の開示】
【発明が解決しようとする課題】
【０００８】
上記の特許文献１に開示の技術では、衣類乾燥機用スタンドの組立の際に、支柱部分を安定させて起立させて組み立てるための支えとして梱包部品を利用している。しかし、組立の際に、部品同士を適正な位置に調整する等の作業性を向上させる技術は開示されていない。
【０００９】
本発明は、こうした背景に鑑みなされたものであって、その目的は、表示装置のスタンドを組み立てる際に、作業性を向上させる技術を提供することにある。
【課題を解決するための手段】
【００１０】
本発明のある態様は、梱包ケースに関する。この梱包ケースは、組立品を構成する複数の部材を分けて梱包する梱包ケースであって、前記部材を収納する凹部と、前記部材を組立てる際に前記部材の少なくとも一部を保持する凹状の保持部を有し、前記保持部は前記部材が適正に組み立てる姿勢となる形状及び位置で形成されている。
また、前記複数の部材は、相互間を結合する結合部を有してもよく、前記複数の部材は、結合作業が可能な状態で前記保持部によって保持されてもよい。
本発明の別のある態様は、梱包ケースに関する。この梱包ケースは、表示装置のスタンドを、支柱およびベースプレートに分けて梱包する梱包ケースであって、前記ベースプレートを立てかける、凹状のベースプレート保持部と、前記支柱を保持する、凹状の支柱保持部と、を備え、前記ベースプレート保持部及び前記支柱保持部は、前記ベースプレートと前記支柱が適正に、組み立てる姿勢となる形状及び位置で形成されている。
また、前記支柱保持部は、前記支柱の上部が設置可能になってもよく、前記支柱の上部が設置された際に、前記支柱の底部に設けられたビス穴と、前記ベースプレート保持部に立てかけられた前記ベースプレートに備わるビス穴とが、適正な位置であわさるように、前記支柱の姿勢を保持してもよい。
【発明の効果】
【００１１】
本発明によれば、組み立て品を組み立てる際に、作業性を向上させることができる。例えば、表示装置のスタンドを組み立てる際に、作業性を向上させることができる。
【発明を実施するための最良の形態】
【００１２】
本発明の実施形態に係る梱包ケース１０を図面を参照して説明する。図１に示すように、梱包ケース１０は、略直方体の形状を有し、表示装置のスタンド３４（図４から図６に示す）を、第１及び第２の支柱３２ａ，３２ｂおよびベースプレート３０とに分離して梱包する。この梱包ケース１０の材質は、ポリスチレンフォーム（発泡スチロール）である。この材質はポリスチレンフォームに限る趣旨ではなく、以下に説明する形状を形成できる材料であればよく、例えば、段ボールなどでもよい。表示装置は、液晶テレビやプラズマテレビ等が例示される。
【００１３】
ベースプレート３０は、略台形の形状となっており、この台形の底辺（長辺）の両端部分が外方向に突き出す形状（以下、単に「突出部」とも言う）を有する。なお、スタンド３４が表示装置に取り付けられる際に、突出部を有する長辺側が前側となる。以下、ベースプレート３０の長辺部分をプレート前部と言い、反対側の短辺部分をプレート後部と言う。さらに、第１及び第２の支柱３２ａ，３２ｂは略半円筒の形状であり、スタンド３４を組み上げた際に、略平面となっている側面が前方となり、曲面となっている側面が後方となる。なお、第１及び第２の支柱３２ａ，３２ｂを区別しないときは単に「支柱３２」と称する。
【００１４】
まず、スタンド３４を梱包する構造について説明する。図１から図３に示すように、梱包ケース１０は、ベースプレート梱包部１２と、支柱梱包部１４を有する。ベースプレート梱包部１２は、ベースプレート３０の形状に合わせて凹状に形成されており、梱包ケース１０の概ね半分を占めている。
【００１５】
図２において、ベースプレート梱包部１２は、プレート後部を梱包ケース１０の手前の長手方向の側面側に位置させ、ベースプレート前部を略中央部分に位置させて梱包する形状となっている。なお、ベースプレート梱包部１２の底面は、概ね平面となっている。
【００１６】
さらに、ベースプレート梱包部１２は、ベースプレート３０の二つの突出部が挿入される第１及び第２のプレート固定孔４４ａ，４４ｂを備える。
【００１７】
また、支柱梱包部１４は、ベースプレート梱包部１２と梱包ケース１０の長手方向の辺（図２奥側の辺）との間に設けられている。支柱梱包部１４の形状は、直方体の凹みであり、その底部中央には支柱梱包部１４を約二分するように、梱包ケース１０の長手方向に延びる棒状に分離部４２が設けられている。なお、分離部４２は中央部分で一部が取り除かれている。また、分離部４２の高さは、支柱梱包部１４の深さの１／３から１／２程度である。支柱梱包部１４の分離部４２により分けられたそれぞれの空間に、二つの支柱３２が一本ずつ梱包される。
【００１８】
つづいて、スタンド３４の組立作業を補助する構造について説明する。図４は、図２に示した梱包ケース１０において、ベースプレート３０と第１及び第２の支柱３２ａ，３２ｂを所定の位置に配置してスタンド３４をビス固定する直前の状態を示している。図５は、図４を別角から見た図であり、図３に示した梱包ケース１０において、ベースプレート３０と支柱３２を所定の位置に配置して、スタンド３４をビス固定する直前の状態を示している。図２から図５に示すように、この梱包ケース１０は、上記の構造に加えて更に、ベースプレート保持部２２と、支柱保持部２４とを備えている。
【００１９】
ベースプレート保持部２２は、図４及び図５に示すようにベースプレート３０を立てかけるもので、凹状をなしている。ここでは、ベースプレート３０のプレート後部の両端部分を保持するために、第１及び第２のベースプレート保持部２２ａ，２２ｂからなる。以下、第１及び第２のベースプレート保持部２２ａ，２２ｂを区別しないときは、単に「ベースプレート保持部２２」と言う。第１及び第２のベースプレート保持部２２ａ，２２ｂは、支柱梱包部１４に備わる二つの分離部４２がそれぞれ外側に延びた位置に、支柱梱包部１４に連続して形成されている。
【００２０】
さらに、ベースプレート保持部２２の壁面は、底面に対して鉛直に形成されている。ただし、第１及び第２のベースプレート保持部２２ａ，２２ｂにおいて、それぞれの中央側の壁面４５ａ，４５ｂは斜面になっており、下から上に向かうにしたがって中央側に延び、ベースプレート保持部２２の開口が広がる形状となっている。
【００２１】
つぎに、支柱保持部２４は、ベースプレート保持部２２の底面に凹状に形成されており、この凹状の形状で支柱３２を所定の姿勢に保持する。ここでは、第１及び第２の支柱３２ａ，３２ｂの二つを保持するため、第１及び第２の支柱保持部２４ａ，２４ｂが設けられている。以下、第１及び第２の支柱保持部２４ａ，２４ｂを区別しないときは単に「支柱保持部２４」とも言う。なお、本実施形態は、支柱３２が２本であるため支柱保持部２４が二カ所に設けられているが、支柱保持部２４は支柱３２の数に合わせて設けられる。
【００２２】
ここで、支柱保持部２４は、三角柱を横に倒した形状の凹みを有している。したがって、支柱保持部２４の断面は三角形となっており、下から上に中央側に向かう内向壁面４７は所定の角度の傾斜となっている。この所定の角度は、ベースプレート保持部２２の中央側の壁面４５の角度に対して垂直をなす。また、下から上に外側に向かう外向壁面４９は、内向壁面４７と略垂直をなしている。
【００２３】
図４及び図５に示すように、第１の支柱保持部２４ａには第１の支柱３２ａの上端部分が、外向壁面４９に押しつけられ、さらに第１の支柱３２ａの前面を上にして、支柱３２が設置される。同様に、第２の支柱保持部２４ｂには第２の支柱３２ｂの上端部分が第２の支柱３２ｂの前面を上にして設置される。なお、本実施形態では、支柱保持部２４は、支柱３２を置いて保持する形状であるが、例えば、支柱３２を挿入して固定する形状としてもよい。
【００２４】
また、ベースプレート保持部２２と支柱保持部２４との位置関係は、スタンド３４がベースプレート３０と支柱３２が組み立てられた状態において、ベースプレート３０がベースプレート保持部２２に、支柱３２が支柱保持部２４に保持される位置となるように設定される。
【００２５】
このような構成により、ベースプレート保持部２２ａ，２２ｂ及び支柱保持部２４ａ，２４ｂは、ベースプレート３０と支柱３２が適正に組み立てられる姿勢となる形状及び位置で形成されている。「適正」にとは、ここでは、支柱３２がベースプレート３０に対して垂直になる状態をいう。
【００２６】
また、ベースプレート梱包部１２の中央部分には、スタンド３４の組立手順書２８が貼附されている。ユーザは、この組立手順書２８を参照しながら、スタンド３４を組み立てることができる。
【００２７】
以上の構造を有する梱包ケース１０を用いてスタンド３４の組立手順を、図６をもとに説明する。なお、理解の容易のために、符号を一部省略している。まず、ベースプレート３０を、上面がベースプレート梱包部１２側（本図左奥側）になるように、プレート後部の両端を、第１及び第２のベースプレート保持部２２ａ，２２ｂに挿入し立てかける。
【００２８】
つづいて、ベースプレート３０に設けられている支柱挿入部に各支柱３２の下側部分を挿入する。さらに、各支柱３２の先端部分（上部）を支柱保持部２４に置く。このとき、支柱３２の前面が上を向くように支柱保持部２４に合わせる。これにより、支柱３２は、支柱保持部２４に設けられた傾斜に案内されるため、支柱３２はベースプレート３０に対して垂直に姿勢を維持できる。
【００２９】
この状態で、所定の工具５３を用いて、ビス４８をベースプレート３０の裏側から各支柱３２にそれぞれ３個設けられたビス穴５１を介して、支柱３２の底部に設けられたビス穴に通して締め付ける。これによって、ベースプレート３０と支柱３２が固定され、スタンド３４が完成する。
【００３０】
以上のように、スタンド３４が部品で梱包されていた梱包ケース１０を利用してスタンド３４を組み立てることによって、その組立作業の作業性を向上させることが出来る。また、ベースプレート３０と支柱３２の位置調整が簡便にできるので、たとえば、位置調整に手間取ってベースプレート３０を傷つけることを回避できる。
【００３１】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【産業上の利用可能性】
【００３２】
本発明は、表示装置のスタンドを所定の複数の部品に分けて収納する梱包ケースに広く用いることができる。
【図面の簡単な説明】
【００３３】
【図１】本実施形態に係る梱包ケースについて、スタンドの部品を梱包した状態を示した斜視図である。
【図２】本実施形態に係る梱包ケースの斜視図である。
【図３】図２に示した梱包ケースの斜視図を、別角度から見た図である。
【図４】図２に示した梱包ケースにおいて、ベースプレートと二つの支柱を所定の位置に配置してスタンドを組み立てた状態を示した図である。
【図５】図３に示した梱包ケースにおいて、ベースプレートと二つの支柱を所定の位置に配置してスタンドを組み立てた状態を示した図である。
【図６】梱包ケースを利用してスタンドの組立手順を示した図である。
【図７】薄型表示装置に備わるスタンドの一般的な組立手法について示した図である。
【符号の説明】
【００３４】
１０      梱包ケース
１２      ベースプレート梱包部
１４      支柱梱包部
２２      ベースプレート保持部
２２ａ    第１のベースプレート保持部
２２ｂ    第２のベースプレート保持部
２４      支柱保持部
２４ａ    第１の支柱保持部
２４ｂ    第２の支柱保持部
３０      ベースプレート
３２      支柱
３２ａ    第１の支柱
３２ｂ    第２の支柱
３４      スタンド
４５      壁面
４８      ビス
【図１】
2008068896.tif 000003
【図２】
2008068896.tif 000004
【図３】
2008068896.tif 000005
【図４】
2008068896.tif 000006
【図５】
2008068896.tif 000007
【図６】
2008068896.tif 000008
【図７】
2008068896.tif 000009